(57)【要約】レジャー用テーブルが開示される。上板と、前記上板の下面に組み合わせられる複数の足部材とを含み、前記上板は、第１上板部材と、前記第１上板部材と平行に組み合わせられる第２上板部材とを含むレジャー用テーブルが提供される。【選択図】図２
2016518887.tif 000002
【特許請求の範囲】
【請求項１】
上板と、
前記上板の下面に組み合わせられる複数の足部材と、を含み、
前記上板は、
第１上板部材と、
前記第１上板部材と平行に組み合わせられる第２上板部材と、を含むことを特徴とするレジャー用テーブル。
【請求項２】
前記第１上板部材と前記第２上板部材にはそれぞれ切欠溝が設けられ、
前記切欠溝にはミニテーブルが組み合わせられることを特徴とする請求項１に記載のレジャー用テーブル。
【請求項３】
前記ミニテーブルの上板は折り畳み自在であることを特徴とする請求項２に記載のレジャー用テーブル。
【請求項４】
前記上板のフレームは、自動車トランクの床面の形態に対応する形状であることを特徴とする請求項２に記載のレジャー用テーブル。
【請求項５】
前記第１上板部材と前記第２上板部材とを連結する連結部材をさらに含むことを特徴とする請求項１ないし請求項４のうちいずれか１項に記載のレジャー用テーブル。
【発明の詳細な説明】
【技術分野】
【０００１】
本発明は、レジャー用テーブルに関し、より詳しくは、自動車トランクの床面に最適に組み合わせることができるレジャー用テーブルに関する。
【背景技術】
【０００２】
生活が豊かになり、週５日制が定着するにつれ、週末には家族と一緒にキャンピングや釣りなどレジャー活動を楽しむ人口が益々増えている。このようなレジャー活動の際には各種の装備及び用品を自動車に積んで移動する。
【０００３】
レジャー活動中には野外で衣食住を解決しなければならず、レジャー活動のニーズに合わせた装備及び用品が開発され発売されている。このようなレジャー用品は最小の体積で最大限の便宜を提供しなければならない。
レジャー用品は乗用車のトランクに積まれる。したがって、トランクの限定された空間を効果的に活用する必要性が出てくる。
【０００４】
一方、レジャー用品のうち嵩張って運び難いものの一つがテーブルである。食事をしたり休息をとるために野外にテーブルを設置するが、このようなレジャー用テーブルは基本的な体積が大きいため常に運び難いという問題がある。
そこで、自動車に保管できるレジャー用テーブルの開発が必要となった。
これに関する技術が、韓国実用公開第２０−１９９３−００２３４１９号公報（自動車用多目的レジャーテーブル）に開示されている。
【発明の概要】
【発明が解決しようとする課題】
【０００５】
本発明は、自動車トランクの床面に最適に組み合わせられるレジャー用テーブルを提供することを目的とする。
また、本発明は、自動車トランクに出し入れし易いように上板が折り畳まれるレジャー用テーブルを提供することを目的とする。
また、本発明は、上板に最適に組み合わせられるミニテーブルが取り付けられたレジャー用テーブルを提供することを目的とする。
【課題を解決するための手段】
【０００６】
本発明の一態様によれば、上板と、前記上板の下面に組み合わせられる複数の足部材とを含み、前記上板は、第１上板部材と、前記第１上板部材と平行に組み合わせられる第２上板部材とを含むレジャー用テーブルが提供される。
【０００７】
また、前記第１上板部材と前記第２上板部材にはそれぞれ切欠溝が設けられ、前記切欠溝にはミニテーブルが組み合わせられることを特徴とするレジャー用テーブルが提供される。
また、前記ミニテーブルの上板は、折り畳み自在であることを特徴とするレジャー用テーブルが提供される。
また、前記上板のフレームは、自動車トランクの床面の形態に対応する形状であることを特徴とするレジャー用テーブルが提供される。
また、前記第１上板部材と前記第２上板部材とを連結する連結部材をさらに含むレジャー用テーブルが提供される。
【発明の効果】
【０００８】
上述したように、本発明は自動車トランクの床面に最適に組み合わせられるレジャー用テーブルを提供する。
また、本発明は自動車トランクに出し入れし易いように上板が折り畳まれるレジャー用テーブルを提供する。
また、本発明は上板に最適に組み合わせられるミニテーブルが取り付けられたレジャー用テーブルを提供する。
【図面の簡単な説明】
【０００９】
【図１】本発明の一実施例によるレジャー用テーブルを自動車トランクに取り付けた様子を示した斜視図である。
【図２】本発明の一実施例によるレジャー用テーブルの斜視図である。
【図３】本発明の一実施例によるレジャー用テーブルの上板の平面図である。
【図４】本発明の一実施例によるレジャー用テーブルのミニテーブルの平面図である。
【発明を実施するための形態】
【００１０】
本発明によれば、上板と、前記上板の下面に組み合わせられる複数の足部材とを含み、前記上板は、第１上板部材と、前記第１上板部材と平行に組み合わせられる第２上板部材と、前記第１上板部材と前記第２上板部材とを連結する連結部材とを含むレジャー用テーブルが提供される。
【００１１】
以下、本発明の望ましい実施例を図面を参照して詳しく説明するが、これは本発明に属する技術分野で通常の知識を持つ者が本発明を容易に実施できるように提供されるものに過ぎず、本発明の思想及び範疇を限定するものではない。
【００１２】
図１は本発明の一実施例によるレジャー用テーブルを自動車トランクに取り付けた様子を示した斜視図であり、図２は本発明の一実施例によるレジャー用テーブルの斜視図であり、図３は本発明の一実施例によるレジャー用テーブルの上板の平面図であり、図４は本発明の一実施例によるレジャー用テーブルのミニテーブルの平面図である。
【００１３】
本実施例のレジャー用テーブルは自動車トランクの床面に取り付けられる。従来、自動車トランクの床面には木材や合成樹脂材質からなるカバー板が取り付けられている。カバー板の下にはスペアタイヤが保管されている。本実施例のレジャー用テーブルはカバー板を代替する。したがって、普段はレジャー用テーブルをカバー板の代用として使用することができる。
一方、レジャー活動の際には、レジャー用テーブルを自動車のトランクから取り出して、折り畳まれていた足を広げ、テーブルとして活用することができる。
本実施例のレジャー用テーブル１０は、上板１１、及び前記上板１１の下面に組み合わせられる複数の足部材１２を含む。
【００１４】
上板１１は、木材やアルミニウムのような金属材質からなり得る。上板１１は１つの部材からなっても良く、２つ以上の部分に分けられ組み合わせられても良い。
【００１５】
上板１１の下面には複数の足部材１２が組み合わせられる。普段足部材１２は折り畳まれた状態で保管され、使用時に広げることもできる。足部材１２と上板１１とは着脱自在であり得る。
【００１６】
上板１１のフレームは、自動車トランクの床面に対応する形状である。したがって、普段は自動車トランクの床面と一体的に見える。美観上、上板１１のフレームは自動車トランクの床面の形状に対応することが望ましい。
【００１７】
一方、上板１１のフレームが自動車トランクの床面に対応した形状であれば、レジャー用テーブル１０の自動車トランクへの収納・取出しが困難である。トランクの入口の幅より床面の幅が広いためである。トランクにレジャー用テーブル１０を容易に出し入れするために、上板１１は分離されるか又は折り畳まれる構造であることが望ましい。
【００１８】
本実施例の上板１１は、第１上板部材１１１と、前記第１上板部材１１１と平行に組み合わせられる第２上板部材１１２と、前記第１上板部材１１１と前記第２上板部材１１２とを連結する連結部材１１３とを含む。第１上板部材１１１と第２上板部材１１２とは対称型であり得る。連結部材１１３は蝶番であり得る。
【００１９】
トランクにレジャー用テーブル１０を出し入れするとき、連結部材１１３を中心に第１上板部材１１１と第２上板部材１１２を折り畳んで押し入れ、入れた後は再び広げてトランクの床面に位置させる。
【００２０】
本実施例のレジャー用テーブル１０は、大きさを最大限確保し、自動車の美観上、トランクの床面に対応する上板１１の形状を有する。したがって、トランクに出し入れするためには上板１１が折り畳まれる構造を有する必要がある。
【００２１】
また、前記第１上板部材１１１と前記第２上板部材１１２には、それぞれ切欠溝１３が形成されている。前記切欠溝１３にはミニテーブル１４が組み合わせられている。ミニテーブル１４は、パズルのように、切欠溝１３に組み合わせられる。トランクにレジャー用テーブル１０が取り付けられた状態で、ミニテーブル１４を分離することができる。そうすれば、ミニテーブル１４の下にスペアタイヤが露出する。
【００２２】
レジャー活動を楽しむ人々の中には、最大限の空間を確保するためスペアタイヤを取り出して、その空間を用品の収納に用いる人もいる。ミニテーブル１４は、このようなスペアタイヤが保管された空間のカバーの役割を果たすようになる。さらに、ミニテーブル１４のみが必要なときには、レジャー用テーブル１０全体をトランクから取り出さなくても良い。
前記ミニテーブル１４の上板１４１は、折り畳み自在であり得る。
【００２３】
以上のように、本発明の実施例について詳しく説明したが、これは一実施例に過ぎず、本発明の特許請求の範囲を限定するものではない。当業者が本実施例に基づいて均等な範囲まで変形及び追加する範囲も、本発明の権利範囲に属すると解釈されるべきであることは言うまでもない。
【産業上の利用可能性】
【００２４】
本発明のレジャー産業分野で使用することができる。
【符号の説明】
【００２５】
１０   レジャー用テーブル
１１   上板
１１１  第１上板部材
１１２   第２上板部材
１１３   連結部材
１２   足部材 
１３   切欠溝 
１４   ミニテーブル
１４１  上板
【図１】
2016518887.tif 000003
【図２】
2016518887.tif 000004
【図３】
2016518887.tif 000005
【図４】
2016518887.tif 000006
【国際調査報告】
2016518887.tif 000007
2016518887.tif 000008
2016518887.tif 000009
2016518887.tif 000010